(57)【要約】【課題】複数の動画アイコンを順次表示して自動的に紹介することができ、動画アイコンに対応する機能が分かり易く紹介することができるアイコン表示装置を提供する。【解決手段】表示エリア４１を表示デバイス１３の画面に表示して、この表示エリア４１に動画アイコンＩの１コマ目ｉaを表示し、引き続いて時間ｔの経過と共に、表示エリア４１に動画アイコンＩの２コマ目ｉb〜１０コマ目ｉjを順次表示し、各コマｉa〜ｉjの表示位置を少しずつ右側にずらして、動画アイコンＩを移動表示する。動画アイコンＩの各コマｉa〜ｉjの全てを順次表示すると、この動画アイコンＩの繰り返し動作パターンが一巡する。従って、表示エリア４１での移動表示中に、動画アイコンＩの繰り返し動作パターンが一巡することになる。【選択図】図３
2006323673.tif 000002
【特許請求の範囲】
【請求項１】
動画アイコンを画面に表示するアイコン表示装置において、
画面上の表示エリアで動画アイコンを表示しつつ移動させ、この表示エリアでの移動表示中に動画アイコンの繰り返し動作パターンが少なくとも一巡する様に該動画アイコンの動画速度を制御する制御手段を備えることを特徴とするアイコン表示装置。
【請求項２】
表示エリアでの動画アイコンの移動速度を調節する調節手段を備え、
制御手段は、調節手段により調節された移動速度に応じて動画アイコンの動画速度を制御し、表示エリアでの移動表示中に動画アイコンの繰り返し動作パターンを少なくとも一巡させることを特徴とする請求項１に記載のアイコン表示装置。
【請求項３】
制御手段は、表示エリアの一方の端からの移動開始時点より動画アイコンの繰り返し動作パターンを開始して、表示エリアの他方の端への移動終了時点で動画アイコンの繰り返し動作パターンを終了し、移動開始時点より移動終了時点までの間に動画アイコンの繰り返し動作パターンが一巡する様に該動画アイコンの動画速度を制御することを特徴とする請求項１に記載のアイコン表示装置。
【請求項４】
表示エリアでの動画アイコンの移動方向を切替える移動方向切替え手段を備え、
制御手段は、移動方向切替え手段により移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの動画速度を制御することを特徴とする請求項１に記載のアイコン表示装置。
【請求項５】
動画アイコンを画面に表示するアイコン表示装置において、
画面上の表示エリアで動画アイコンを表示しつつ移動させ、この表示エリアでの移動表示中に動画アイコンの繰り返し動作パターンが少なくとも一巡する様に該動画アイコンの移動速度を制御する制御手段を備えることを特徴とするアイコン表示装置。
【請求項６】
表示エリアでの動画アイコンの動画速度を調節する動画速度調節手段を備え、
制御手段は、動画速度調節手段により調節された動画速度に応じて動画アイコンの移動速度を制御し、表示エリアでの移動表示中に動画アイコンの繰り返し動作パターンを少なくとも一巡させることを特徴とする請求項５記載のアイコン表示装置。
【請求項７】
制御手段は、表示エリアの一方の端からの移動開始時点より動画アイコンの繰り返し動作パターンを開始して、表示エリアの他方の端への移動終了時点で動画アイコンの繰り返し動作パターンを終了し、移動開始時点より移動終了時点までの間に動画アイコンの繰り返し動作パターンが一巡する様に該動画アイコンの移動速度を制御することを特徴とする請求項５に記載のアイコン表示装置。
【請求項８】
表示エリアでの動画アイコンの移動方向を切替える移動方向切替え手段を備え、
制御手段は、移動方向切替え手段により移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの移動速度を制御することを特徴とする請求項５に記載のアイコン表示装置。
【請求項９】
表示エリアでの動画アイコンの移動方向を切替える移動方向切替え手段を備え、
制御手段は、移動方向切替え手段により移動方向が切替えられると、動画アイコンの繰り返し動作パターンを最初からやり直すことを特徴とする請求項１又は５に記載のアイコン表示装置。
【請求項１０】
制御手段は、表示エリアでの移動表示前もしくは移動表示後の動画アイコンを停止させて静止画アイコンとし、この静止画アイコンを表示することを特徴とする請求項１又は５に記載のアイコン表示装置。
【発明の詳細な説明】
【技術分野】
【０００１】
本発明は、アイコンを画面に表示し、このアイコンに対応する機能の入力設定を支援するアイコン表示装置に関する。
【背景技術】
【０００２】
この種の表示装置は、表示デバイスの画面に複数のアイコンを配列表示するというものである。この画面上で、例えばポインティングデバイスの操作により所望のアイコンが選択指示されたときには、このアイコンに対応するアプリケーションソフトウェア等が起動される。
【０００３】
ところが、小さな画面の場合は、複数のアイコンを隙間なく配列せねばならず、アイコンの視認性が悪くなり、またアイコンの選択操作も難しくなった。
【０００４】
また、全てのアイコンを表示して紹介することはなく、このために知られないアイコンが存在したり、アイコンに対応する機能を使わずに放置していることがあった。
【０００５】
一方、特許文献１には、文字情報や図形情報をスクロール表示し、スクロール表示に際しては、文字情報や図形情報の読み取りの困難性に応じてスクロール速度を制御し、これにより文字情報や図形情報の読み取りを容易にするという技術が開示されている。
【０００６】
この特許文献１の技術を参考にすると、複数のアイコンをスクロール表示することが考えられる。ただし、アイコンそのものは、単純化された図形等であって、その読み取りが容易であるため、スクロール速度を制御する必要性がないと考えられる。
【特許文献１】特開平５−３２３９４１号公報
【発明の開示】
【発明が解決しようとする課題】
【０００７】
しかしながら、アイコンをスクロール表示するには、スクロールバー等を操作する必要があり、多数のアイコンがある場合は、その操作時間も長くなって煩わしくなる。
【０００８】
また、アイコンとしては、静止画（以下静止画アイコンと称する）ばかりでなく、複数コマを順次表示してなる動画（以下動画アイコンと称する）を用いることがある。この動画アイコンを用いる場合は、複数コマを順次表示してなる動作パターンを一巡させて、該動画アイコンに対応する機能を分かり易く紹介する必要がある。
【０００９】
ところが、特許文献１では、動画アイコンをスクロール表示することを考慮してはおらず、適確なスクロール速度を設定することができない。このため、スクロール速度が速過ぎて、動画アイコンの動作パターンの一部しか表示されなかったり、スクロール速度が遅過ぎて、動画アイコンの動作パターンが冗長的に何度も表示されて、複数のアイコンが効率的に紹介されなかったりする。
【００１０】
そこで、本発明は、上記従来の問題点に鑑みてなされたものであり、複数の動画アイコンを順次表示して自動的に紹介することができ、動画アイコンに対応する機能が分かり易く紹介することができるアイコン表示装置を提供することを目的とする。
【課題を解決するための手段】
【００１１】
上記課題を解決するために、本発明のアイコン表示装置は、動画アイコンを画面に表示するアイコン表示装置において、画面上の表示エリアで動画アイコンを表示しつつ移動させ、この表示エリアでの移動表示中に動画アイコンの繰り返し動作パターンが少なくとも一巡する様に該動画アイコンの動画速度を制御する制御手段を備えている。
【００１２】
また、表示エリアでの動画アイコンの移動速度を調節する調節手段を備え、制御手段は、調節手段により調節された移動速度に応じて動画アイコンの動画速度を制御し、表示エリアでの移動表示中に動画アイコンの繰り返し動作パターンを少なくとも一巡させている。
【００１３】
更に、制御手段は、表示エリアの一方の端からの移動開始時点より動画アイコンの繰り返し動作パターンを開始して、表示エリアの他方の端への移動終了時点で動画アイコンの繰り返し動作パターンを終了し、移動開始時点より移動終了時点までの間に動画アイコンの繰り返し動作パターンが一巡する様に該動画アイコンの動画速度を制御している。
【００１４】
また、表示エリアでの動画アイコンの移動方向を切替える移動方向切替え手段を備え、制御手段は、移動方向切替え手段により移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの動画速度を制御している。
【００１５】
一方、本発明のアイコン装置は、動画アイコンを画面に表示するアイコン表示装置において、画面上の表示エリアで動画アイコンを表示しつつ移動させ、この表示エリアでの移動表示中に動画アイコンの繰り返し動作パターンが少なくとも一巡する様に該動画アイコンの移動速度を制御する制御手段を備えている。
【００１６】
また、表示エリアでの動画アイコンの動画速度を調節する動画速度調節手段を備え、制御手段は、動画速度調節手段により調節された動画速度に応じて動画アイコンの移動速度を制御し、表示エリアでの移動表示中に動画アイコンの繰り返し動作パターンを少なくとも一巡させている。
【００１７】
更に、制御手段は、表示エリアの一方の端からの移動開始時点より動画アイコンの繰り返し動作パターンを開始して、表示エリアの他方の端への移動終了時点で動画アイコンの繰り返し動作パターンを終了し、移動開始時点より移動終了時点までの間に動画アイコンの繰り返し動作パターンが一巡する様に該動画アイコンの移動速度を制御している。
【００１８】
また、表示エリアでの動画アイコンの移動方向を切替える移動方向切替え手段を備え、制御手段は、移動方向切替え手段により移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの移動速度を制御している。
【００１９】
また、本発明においては、表示エリアでの動画アイコンの移動方向を切替える移動方向切替え手段を備え、制御手段は、移動方向切替え手段により移動方向が切替えられると、動画アイコンの繰り返し動作パターンを最初からやり直している。
【００２０】
更に、制御手段は、表示エリアでの移動表示前もしくは移動表示後の動画アイコンを停止させて静止画アイコンとし、この静止画アイコンを表示している。
【発明の効果】
【００２１】
本発明のアイコン表示装置によれば、画面上の表示エリアで動画アイコンを表示しつつ移動させている。このため、複数の動画アイコンを順次表示して自動的に紹介することができる。また、表示エリアでの移動表示中に動画アイコンの繰り返し動作パターンが少なくとも一巡する様に該動画アイコンの動画速度を制御している。このため、表示エリアが狭かったり、動画アイコンの移動速度が速かったりして、表示エリアでの移動表示時間が短くても、動画アイコンの繰り返し動作パターンが少なくとも一巡する。これにより、必ず、動画アイコンに対応する機能が分かり易く紹介される。
【００２２】
また、表示エリアでの動画アイコンの移動速度を調節することができ、この調節された移動速度に応じて動画アイコンの動画速度を制御し、表示エリアでの移動表示中に動画アイコンの繰り返し動作パターンを少なくとも一巡させている。従って、移動速度が調節されて変化しても、動画アイコンに対応する機能が分かり易く紹介される。
【００２３】
例えば、表示エリアの一方の端からの移動開始時点より表示エリアの他方の端への移動終了時点でまでの間に、動画アイコンの繰り返し動作パターンが一巡する様に該動画アイコンの動画速度を制御している。
【００２４】
更に、表示エリアでの動画アイコンの移動方向を切替えることができ、移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの動画速度を制御している。従って、移動方向が切替えられても、動画アイコンに対応する機能が分かり易く紹介される。
【００２５】
一方、本発明のアイコン表示装置によれば、表示エリアでの移動表示中に動画アイコンの繰り返し動作パターンが少なくとも一巡する様に該動画アイコンの移動速度を制御している。この様に動画アイコンの動画速度の代わりに、移動速度を制御しても、動画アイコンの繰り返し動作パターンを少なくとも一巡させて、動画アイコンに対応する機能を分かり易く紹介することができる。
【００２６】
また、動画アイコンの動画速度を調節することができ、この調節された動画速度に応じて動画アイコンの移動速度を制御し、表示エリアでの移動表示中に動画アイコンの繰り返し動作パターンを少なくとも一巡させている。従って、動画速度が調節されて変化しても、動画アイコンに対応する機能が分かり易く紹介される。
【００２７】
例えば、表示エリアの一方の端からの移動開始時点より表示エリアの他方の端への移動終了時点でまでの間に、動画アイコンの繰り返し動作パターンが一巡する様に該動画アイコンの移動速度を制御している。
【００２８】
更に、表示エリアでの動画アイコンの移動方向を切替えることができ、移動方向が切替えられると、動画アイコンの繰り返し動作パターンを継続しつつ、この切替えられた移動方向での表示エリアの端に動画アイコンが達するまでに、動画アイコンの繰り返し動作パターンが少なくとも一巡する様に該動画アイコンの移動速度を制御している。従って、移動方向が切替えられても、動画アイコンに対応する機能が分かり易く紹介される。
【００２９】
また、表示エリアでの動画アイコンの移動方向を切替えることができ、移動方向が切替えられると、動画アイコンの繰り返し動作パターンを最初からやり直しても良い。
【００３０】
更に、表示エリアでの移動表示前もしくは移動表示後の動画アイコンを停止させて静止画アイコンとし、この静止画アイコンを表示しても構わない。
【発明を実施するための最良の形態】
【００３１】
以下、本発明の実施形態を添付図面を参照しつつ詳細に説明する。
＜実施形態１＞
図１は、本発明のアイコン表示装置の実施形態１を示すブロック図である。本実施形態のアイコン表示装置１０は、パーソナルコンピュータ１１、プリンタ１２、表示デバイス１３、及びキーボード１４やポインティングデバイス（例えばマウス）１５等からなる。
【００３２】
パーソナルコンピュータ１１は、このコンピュータ１１を統括的に制御するＣＰＵ（中央処理装置）２１、各種のプログラムやデータ等を記憶するＲＯＭ２２、各種のデータを一時的に記憶したりワークエリアとして用いられるＲＡＭ２３、各種のプログラムやデータ等を記憶するＨＤＤ（ハードディスク装置）２４、ネットワークを通じて、プリンタ１２に接続されるネットワークインターフェース部２５、表示デバイス１３に接続されるディスプレイインターフェース部２６、及びキーボード１４やポインティングデバイス１５等に接続される入力インターフェース部２７等を備えている。
【００３３】
ＣＰＵ２１は、ＨＤＤ２４からオペレーティングシステムＯＳやアプリケーション等を読み出し、オペレーティングシステムＯＳを基にして、アプリケーションを実行し、ディスプレイインターフェース部２６を通じて、表示デバイス１３を表示制御したり、入力インターフェース部２７を通じて、キーボード１４やマウス１５等からのデータや指示を入力し、これによりアイコン表示装置１０の機能を実現する。
【００３４】
このアイコン表示装置１０は、表示デバイス１３の画面に表示エリアを表示し、この表示エリアで動画アイコンを移動しつつ表示する。例えば、図３（ａ）に示す様な表示エリア４１を表示デバイス１３の画面に表示して、この表示エリア４１に動画アイコンＩの１コマ目ｉaを表示し、引き続いて時間ｔの経過と共に、図３（ｂ）〜（ｊ）に示す様に表示エリア４１に動画アイコンＩの２コマ目ｉb〜１０コマ目ｉjを順次表示し、各コマｉa〜ｉjの表示位置を少しずつ右側にずらして、動画アイコンＩを移動表示する。動画アイコンＩの各コマｉa〜ｉjの全てを順次表示すると、この動画アイコンＩの繰り返し動作パターンが一巡する。従って、表示エリア４１での移動表示中に、動画アイコンＩの繰り返し動作パターンが一巡することになる。
【００３５】
図２は、アイコン表示装置１０の機能を実現するためのアプリケーションの構成を示す機能ブロック図である。このアイコン表示装置１０のアプリケーションは、動画アイコンＩのコマ数取得部３１、動画アイコンＩの動画速度計算部３２、動画アイコンＩの移動速度設定部３３、動画アイコンＩを表す複数コマの画像データを記憶した記憶部３４、及び表示制御部３５等を含んでいる。
【００３６】
コマ数取得部３１は、記憶部３４内の動画アイコンＩを表す複数コマｉa〜ｉjの画像データを参照して、動画アイコンＩのコマ数ｊを求める。
【００３７】
移動速度設定部３３は、通常、規定の移動速度ｖを設定しており、キーボード１４やポインティングデバイス１５の入力操作により移動速度ｖが変更されると、規定の移動速度ｖを更新して、この更新された移動速度ｖを設定する。
【００３８】
動画速度計算部３２は、コマ数取得部３１で求められた動画アイコンＩのコマ数ｎ、移動速度設定部３３で設定された移動速度ｖ、及び表示デバイス１３の画面上の表示エリア４１の横幅ｓ（図３（ａ）に示す）を与えられると、コマ数ｊ、移動速度ｖ、及び表示エリア４１の横幅ｓを用いて、動画アイコンＩの１コマ当たりの表示時間Δｔ、つまり動画アイコンＩの動画速度を求める。
【００３９】
表示制御部３５は、移動速度設定部３３で設定された移動速度ｖ、及び動画速度計算部３２で求められた１コマ当たりの表示時間Δｔを与えられると、記憶部３４内の動画アイコンＩを表す複数コマｉa〜ｉjの画像データを読み出し、この画像データに基づいて、動画アイコンＩを表す各コマｉa〜ｉjを表示時間Δｔずつ順次表示し、また表示エリア４１で動画アイコンＩを移動速度ｖで右側に移動させて行く。実際には、各コマｉa〜ｉjが表示時間Δｔずつ順次表示される度に、動画アイコンＩのコマの表示位置を一定の移動量ずつ右側にずらして、動画アイコンＩを移動させている。
【００４０】
これにより、時間ｔの経過と共に、図３（ａ）〜（ｊ）に示す様に表示エリア４１に動画アイコンＩの1コマ目ｉa〜１０コマ目ｉjが順次表示され、各コマｉa〜ｉjの表示位置が少しずつ右側にずらされて、動画アイコンＩが移動表示される。この結果、表示エリア４１での移動表示中に、動画アイコンＩの繰り返し動作パターンが一巡することになり、動画アイコンＩに対応する機能が分かり易く紹介される。
【００４１】
また、ここでは、説明の簡略化のために、表示エリア４１で１つの動画アイコンＩを移動表示しているが、実際には、表示エリア４１で複数の動画アイコンを一定間隔で次々と移動表示する。このため、多くの動画アイコンを順次表示して自動的に紹介することができる。
【００４２】
尚、複数の動画アイコンのうちに静止画アイコンが混ざっていても良い。あるいは、逆に、複数の静止画アイコンのうちに動画アイコンが混ざっている様な表示でも構わない。この場合は、動画アイコン及び静止画アイコンの画像データを記憶部３４に記憶しておき、これらのアイコンの画像データを適宜に読み出して用いれば良い。
【００４３】
次に、図４のフローチャートを参照しつつ、アイコン表示装置１０による表示制御を整理して説明する。
【００４４】
まず、アイコン表示装置１０では、動画アイコンの表示が指示されるのを待機しており（ステップＳ１０１で「Ｎｏ」）、例えばキーボード１４やポインティングデバイス１５の入力操作により表示が指示されると（ステップＳ１０１で「Ｙｅｓ」）、移動速度設定部３３で規定の移動速度ｖを初期値として設定する（ステップＳ１０２で「Ｙｅｓ」）。
【００４５】
そして、表示制御部３５は、表示デバイス１３の画面上の表示エリア４１を表示し、この表示エリア４１の横幅ｓを求める（ステップＳ１０３）。このとき、キーボード１４やポインティングデバイス１５の入力操作により表示エリア４１の横幅ｓが変更されたならば、表示制御部３５は、この変更された横幅ｓを求める。また、表示制御部３５は、コマ数取得部３１で求められた動画アイコンＩのコマ数ｊを取得する（ステップＳ１０４）。更に、表示制御部３５は、移動速度設定部３３で初期値として設定された規定の移動速度ｖを取得する（ステップＳ１０５）。そして、表示制御部３５は、表示エリア４１の横幅ｓ、動画アイコンＩのコマ数ｊ、及び規定の移動速度ｖを動画速度計算部３２に与える。
【００４６】
動画速度計算部３２は、表示エリア４１の横幅ｓ、動画アイコンＩのコマ数ｊ、及び規定の移動速度ｖを与えられると、次式（１）に基づいて、動画速度ｗ（１コマ当たりの表示時間Δｔ）を求め（ステップＳ１０６）、この動画速度ｗを設定する（ステップＳ１０７）。
【００４７】
動画速度ｗ（１コマ当たりの表示時間Δｔ）＝
（表示エリア４１の横幅ｓ）／［（移動速度ｖ）×（コマ数ｊ）］      …（１）
この１コマ当たりの表示時間Δｔは、表示制御部３５に与えられる。表示制御部３５は、先に述べた様に記憶部３４内の動画アイコンＩを表す複数コマｉa〜ｉjの画像データを読み出し、この画像データに基づいて、動画アイコンＩを表す各コマｉa〜ｉjを表示時間Δｔずつ順次表示し、各コマｉa〜ｉjが表示時間Δｔずつ順次表示される度に、動画アイコンＩのコマの表示位置を一定の移動量ずつ右側にずらして、動画アイコンＩを移動速度ｖで右側に移動させて行く。この結果、表示エリア４１での移動表示中に、動画アイコンＩの繰り返し動作パターンが一巡する。
【００４８】
引き続いて、アイコン表示装置１０では、動画アイコンＩの移動表示に際し、キーボード１４やポインティングデバイス１５の入力操作により移動速度ｖの変更が指示されたか否かを判定しおり（ステップＳ１０２）、移動速度ｖの変更が指示されなければ（ステップＳ１０２で「Ｎｏ」）、動画アイコンＩの動画速度を維持する。
【００４９】
また、移動速度ｖの変更が指示されると（ステップＳ１０２で「Ｙｅｓ」）、移動速度設定部３３は、規定の移動速度ｖをキーボード１４やポインティングデバイス１５の入力操作により指示された移動速度ｖに更新する。そして、表示制御部３５は、表示エリア４１の横幅ｓを求め（ステップＳ１０３）、コマ数取得部３１で求められた動画アイコンＩのコマ数ｊを取得し（ステップＳ１０４）、移動速度設定部３３で更新された移動速度ｖを取得し（ステップＳ１０５）、表示エリア４１の横幅ｓ、動画アイコンＩのコマ数ｊ、及び更新された移動速度ｖを動画速度計算部３２に与える。
【００５０】
動画速度計算部３２は、表示エリア４１の横幅ｓ、動画アイコンＩのコマ数ｊ、及び更新された移動速度ｖを上記式（１）に代入して、動画速度ｗ（１コマ当たりの表示時間Δｔ）を求めて（ステップＳ１０６）、１コマ当たりの表示時間Δｔを更新する（ステップＳ１０７）。
【００５１】
表示制御部３５は、動画アイコンＩを表す各コマｉa〜ｉjを更新された表示時間Δｔずつ順次表示し、各コマｉa〜ｉjが表示時間Δｔずつ順次表示される度に、動画アイコンＩのコマの表示位置を一定の移動量ずつ右側にずらして、動画アイコンＩを更新された移動速度ｖで右側に移動させて行く。
【００５２】
すなわち、移動速度ｖが更新されたときには、この更新された移動速度ｖに応じて動画アイコンＩの動画速度ｗも更新し、これにより表示エリア４１での移動表示中に、動画アイコンＩの繰り返し動作パターンが一巡する様にしている。
【００５３】
尚、実際には、表示エリア４１で複数の動画アイコンもしくは静止画アイコンを一定間隔で次々と移動表示するので、表示エリア４１のアイコン毎に、図４のフローチャートの処理を行う必要がある。
＜実施形態２＞
図５は、本発明のアイコン表示装置の実施形態２の機能を実現するためのアプリケーションの構成を示す機能ブロック図である。本実施形態のアイコン表示装置５０のアプリケーションは、図２のアイコン表示装置１０と同様に、図１のパーソナルコンピュータ１１のＣＰＵ２１によりＨＤＤ２４から読み出され実行されて、その機能を果たす。
【００５４】
このアイコン表示装置５０でも、図１のアイコン表示装置１０と同様に、例えば図３（ａ）〜（ｊ）に示す様に表示デバイス１３の画面に表示エリア４１を表示し、この表示エリア４１で動画アイコンＩを移動しつつ表示する。
【００５５】
このアイコン表示装置５０のアプリケーションは、動画アイコンＩのコマ数取得部５１、動画アイコンＩの移動速度計算部５２、動画アイコンＩの動画速度設定部５３、動画アイコンＩを表す複数コマの画像データを記憶した記憶部５４、及び表示制御部５５等を含んでいる。
【００５６】
コマ数取得部５１は、記憶部３４内の動画アイコンＩのコマ数ｊを求める。
【００５７】
動画速度設定部５３は、通常、規定の動画速度ｗ（１コマ当たりの表示時間Δｔ）を設定しており、キーボード１４やポインティングデバイス１５の入力操作により動画速度ｗが変更されると、規定の動画速度ｗを更新して、この更新された動画速度ｗを設定する。
【００５８】
移動速度計算部５２は、コマ数取得部３１で求められた動画アイコンＩのコマ数ｎ、動画速度設定部５３で設定された動画速度ｗ、及び表示デバイス１３の画面上の表示エリア４１の横幅ｓを与えられると、コマ数ｊ、動画速度ｗ、及び表示エリア４１の横幅ｓを用いて、各コマが順次表示される度にずらされるコマの表示位置の移動量Δｄ（１コマ当たりの移動量Δｄ）、つまり動画アイコンＩの移動速度ｖを求める。
【００５９】
表示制御部５５は、動画速度設定部５３で設定された動画速度ｗ（１コマ当たりの表示時間Δｔ）、及び移動速度計算部５２で求められた移動速度ｖ（１コマ当たりの移動量Δｄ）を与えられると、記憶部５４内の動画アイコンＩを表す複数コマｉa〜ｉjの画像データを読み出し、この画像データに基づいて、動画アイコンＩを表す各コマｉa〜ｉjを表示時間Δｔずつ順次表示し、また各コマｉa〜ｉjが順次表示される度にコマの表示位置を右側に移動量Δｄだけずらして行く。
【００６０】
これにより、時間ｔの経過と共に、図３（ａ）〜（ｊ）に示す様に表示エリア４１に動画アイコンＩの1コマ目ｉa〜１０コマ目ｉjが順次表示され、各コマｉa〜ｉjの表示位置が少しずつ右側にずらされて、動画アイコンＩが移動表示される。この結果、表示エリア４１での移動表示中に、動画アイコンＩの繰り返し動作パターンが一巡することになる。
【００６１】
また、表示制御部５５は、キーボード１４やポインティングデバイス１５の入力操作により動画アイコンの移動方向の切替えを指示されると、表示エリア４１の動画アイコンＩの移動方向を切替える。
【００６２】
次に、図６のフローチャートを参照しつつ、アイコン表示装置１０による表示制御を整理して説明する。
【００６３】
まず、アイコン表示装置１０では、動画アイコンの表示が指示されるのを待機しており（ステップＳ２０１で「Ｎｏ」）、例えばキーボード１４やポインティングデバイス１５の入力操作により表示が指示されると（ステップＳ２０１で「Ｙｅｓ」）、動画速度設定部５３で規定の動画速度ｗ（１コマ当たりの表示時間Δｔ）を初期値として設定する（ステップＳ２０２で「Ｙｅｓ」）。
【００６４】
そして、表示制御部５５は、表示デバイス１３の画面上の表示エリア４１を表示し、この表示エリア４１の横幅ｓを求め（ステップＳ２０３）、コマ数取得部５１で求められた動画アイコンＩのコマ数ｊを取得し（ステップＳ２０４）、動画速度設定部５３で初期値として設定された規定の動画速度ｗ（１コマ当たりの表示時間Δｔ）を取得する（ステップＳ２０５）。そして、表示制御部５５は、表示エリア４１の横幅ｓ、動画アイコンＩのコマ数ｊ、及び規定の動画速度ｗを移動速度計算部５２に与える。
【００６５】
移動速度計算部５２は、表示エリア４１の横幅ｓ、動画アイコンＩのコマ数ｊ、及び規定の動画速度ｗ（１コマ当たりの表示時間Δｔ）を与えられると、次式（２）に基づいて、移動速度ｖ（１コマ当たりの移動量Δｄ）を求め（ステップＳ２０６）、この移動速度ｖを設定する（ステップＳ２０７）。
【００６６】
移動速度ｖ（１コマ当たりの移動量Δｄ）＝
（表示エリア４１の横幅ｓ）／［（１コマ当たりの表示時間Δｔ）×（コマ数ｊ）］…（２）
この１コマ当たりの移動量Δｄは、表示制御部３５に与えられる。表示制御部３５は、先に述べた様に記憶部５４内の動画アイコンＩを表す複数コマｉa〜ｉjの画像データを読み出し、この画像データに基づいて、動画アイコンＩを表す各コマｉa〜ｉjを表示時間Δｔずつ順次表示し、また各コマｉa〜ｉjが順次表示される度にコマの表示位置を右側に移動量Δｄだけずらして行く。この結果、表示エリア４１での移動表示中に、動画アイコンＩの繰り返し動作パターンが一巡する。
【００６７】
引き続いて、アイコン表示装置５０では、動画アイコンＩの移動表示に際し、キーボード１４やポインティングデバイス１５の入力操作により動画速度ｗの変更が指示されたか否かを判定しおり（ステップＳ２０２）、動画速度ｗの変更が指示されなければ（ステップＳ２０２で「Ｎｏ」）、動画アイコンＩの移動速度ｖを維持する。
【００６８】
また、動画速度ｗの変更が指示されると（ステップＳ２０２で「Ｙｅｓ」）、動画速度設定部５３は、規定の動画速度ｗをキーボード１４やポインティングデバイス１５の入力操作により指示された動画速度ｗ（１コマ当たりの表示時間Δｔ）に更新する。そして、表示制御部５５は、表示エリア４１の横幅ｓを求め（ステップＳ２０３）、コマ数取得部５１で求められた動画アイコンＩのコマ数ｊを取得し（ステップＳ２０４）、動画速度設定部５３で更新された動画速度ｗを取得し（ステップＳ２０５）、表示エリア４１の横幅ｓ、動画アイコンＩのコマ数ｊ、及び更新された動画速度ｗを移動速度計算部５２に与える。
【００６９】
移動速度計算部５２は、表示エリア４１の横幅ｓ、動画アイコンＩのコマ数ｊ、及び更新された動画速度ｗ（１コマ当たりの表示時間Δｔ）を上記式（２）に代入して、動画アイコンＩの移動速度ｖ（１コマ当たりの移動量Δｄ）を求めて（ステップＳ２０６）、移動速度ｖを更新する（ステップＳ２０７）。
【００７０】
表示制御部５５は、動画アイコンＩを表す各コマｉa〜ｉjを更新された表示時間Δｔずつ順次表示し、各コマｉa〜ｉjが表示時間Δｔずつ順次表示される度に、動画アイコンＩのコマの表示位置を更新された移動量Δｄずつ右側にずらして、動画アイコンＩを右側に移動させて行く。
【００７１】
すなわち、動画速度ｗ（１コマ当たりの表示時間Δｔ）が更新されたときには、この更新された動画速度ｗに応じて動画アイコンＩの移動速度ｖ（１コマ当たりの移動量Δｄ）も更新し、これにより表示エリア４１での移動表示中に、動画アイコンＩの繰り返し動作パターンが一巡する様にしている。
【００７２】
尚、実際には、表示エリア４１で複数の動画アイコンもしくは静止画アイコンを一定間隔で次々と移動表示するので、表示エリア４１のアイコン毎に、図６のフローチャートの処理を行う必要がある。
【００７３】
一方、このアイコン表示装置５０では、キーボード１４やポインティングデバイス１５の入力操作により動画アイコンＩの移動方向の切替えが指示されると、表示エリア４１の動画アイコンＩの移動方向が切替えられる。
【００７４】
次に、図７のフローチャートを参照しつつ、アイコン表示装置１０による動画アイコンＩの移動方向の切替え制御を説明する。
【００７５】
まず、アイコン表示装置１０では、動画アイコンＩの移動方向の切替えが指示されるのを待機しており（ステップＳ３０１で「Ｎｏ」）、例えばキーボード１４やポインティングデバイス１５の入力操作により移動方向の切替えが指示されると（ステップＳ３０１で「Ｙｅｓ」）、これに応答して表示制御部５５は、移動方向が切替えられた時点での動画アイコンＩの表示位置から該切替えられた移動方向での表示エリア４１の端までの距離ｓ1を求める（ステップＳ３０２）。また、表示制御部５５は、移動方向が切替えられた時点までに既に表示した動画アイコンＩのコマ数を求め、動画アイコンＩの全てのコマ数から該既に表示したコマ数を差し引いて、未だに表示していない残りのコマ数ｊ1を求める（ステップＳ３０３）。更に、表示制御部５５は、動画速度設定部５３で設定された動画速度ｗ（１コマ当たりの表示時間Δｔ）を取得する（ステップＳ３０４）。そして、表示制御部５５は、動画アイコンＩの表示位置から切替えられた移動方向での表示エリア４１の端までの距離ｓ1、動画アイコンＩの残りのコマ数ｊ1、及び動画速度ｗを移動速度計算部５２に与える。
【００７６】
移動速度計算部５２は、動画アイコンＩの表示位置から切替えられた移動方向での表示エリア４１の端までの距離ｓ1、動画アイコンＩの残りのコマ数ｊ1、及び動画速度ｗ（１コマ当たりの表示時間Δｔ）を与えられると、次式（３）に基づいて、移動速度ｖ（１コマ当たりの移動量Δｄ）を求め（ステップＳ３０５）、この移動速度ｖを設定する（ステップＳ３０６）。
【００７７】
移動速度ｖ（１コマ当たりの移動量Δｄ）＝
（距離ｓ1）／［（１コマ当たりの表示時間Δｔ）×（残りのコマ数ｊ1）］  …（３）
この１コマ当たりの移動量Δｄは、表示制御部３５に与えられる。表示制御部３５は、記憶部５４内の動画アイコンＩを表す残りのコマの画像データを読み出し、この画像データに基づいて、動画アイコンＩを表す残りのコマを表示時間Δｔずつ順次表示し、また残りのコマが順次表示される度にコマの表示位置を左側に移動量Δｄだけずらして行く。この結果、動画アイコンＩの移動方向が切替えられても、表示エリア４１での移動表示中に、動画アイコンＩの繰り返し動作パターンが一巡する。
【００７８】
また、キーボード１４やポインティングデバイス１５の入力操作により移動方向の切替えが指示される度に、ステップＳ３０２からの処理が繰り返される。このため、移動方向の切替えが複数回行われても、表示エリア４１での移動表示中に、動画アイコンＩの繰り返し動作パターンが一巡する。
【００７９】
尚、実施形態１では、動画アイコンＩの移動方向が切替えられたときの処理を行っていないが、この処理を行っても良い。例えば、キーボード１４やポインティングデバイス１５の入力操作により移動方向の切替えが指示されると、動画アイコンＩの表示位置から切替えられた移動方向での表示エリア４１の端までの距離ｓ1、動画アイコンＩの残りのコマ数ｊ1、及び移動速度ｖに基づいて、切替えられた移動方向への動画アイコンＩの移動表示中に残りのコマ数ｊ1の全てが表示される様な動画速度ｗ（１コマ当たりの表示時間Δｔ）を求めて設定する。
【００８０】
また、動画アイコンＩの移動方向が切替えられたときには、動画アイコンＩの繰り返し動作パターンを最初からやり直して、処理の軽減を図っても良い。
【００８１】
更に、表示エリア４１での移動表示前もしくは移動表示後の動画アイコンＩを停止させて、このときの１コマを静止画アイコンとし、この静止画アイコンを表示デバイス１３の画面上の表示エリア４１外に表示しても良い。
【００８２】
また、表示エリア４１での移動表示中に動画アイコンＩの繰り返し動作パターンを一巡させているが、この繰り返し動作パターンを複数回繰り返しても良い。
【００８３】
更に、表示エリアを横切る様に動画アイコンを移動表示しているが、この代わりに、円筒体を表示し、この円筒体の周面に多数の動画アイコンを配置し、この円筒体を回転させて、多数の動画アイコンを常にエンドレスに繰り返し移動表示させても構わない。
【図面の簡単な説明】
【００８４】
【図１】本発明のアイコン表示装置の実施形態１を示すブロック図である。
【図２】図１のアイコン表示装置の機能を実現するためのアプリケーションの構成を示す機能ブロック図である。
【図３】（ａ）〜（ｊ）は、表示エリアでの動画アイコンの動作及び移動を示す遷移図である。
【図４】図２のアイコン表示装置による表示制御を示すフローチャートである。
【図５】本発明のアイコン表示装置の実施形態２の機能を実現するためのアプリケーションの構成を示す機能ブロック図である。
【図６】図５のアイコン表示装置による表示制御を示すフローチャートである。
【図７】図５のアイコン表示装置による動画アイコンの移動方向の切替え制御を示すフローチャートである。
【符号の説明】
【００８５】
１０、５０  アイコン表示装置
１１  パーソナルコンピュータ
１２  プリンタ
１３  表示デバイス
１４  キーボード
１５  ポインティングデバイス
２１  ＣＰＵ（中央処理装置）
２２  ＲＯＭ
２３  ＲＡＭ
２４  ＨＤＤ（ハードディスク装置）
２５  ネットワークインターフェース部
２６  ディスプレイインターフェース部
２７  入力インターフェース部
４１  表示エリア
３１、５１  コマ数取得部
３２  動画速度計算部
３３  移動速度設定部
３４、５４  記憶部
３５、５５  表示制御部
５２  移動速度計算部
５３  動画速度設定部
【図１】
2006323673.tif 000003
【図２】
2006323673.tif 000004
【図３】
2006323673.tif 000005
【図４】
2006323673.tif 000006
【図５】
2006323673.tif 000007
【図６】
2006323673.tif 000008
【図７】
2006323673.tif 000009